【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
１以上の入力ソースから供給される複数のコンテンツを再生する再生装置であって、
前記複数のコンテンツから再生を行うコンテンツを選択する１以上の入力ソース選択部と、
前記コンテンツのデコード処理を行う複数のデコード処理部と、
前記デコード処理後のコンテンツを再生出力する複数の出力制御部と、
前記複数のコンテンツのうちのいずれかのコンテンツを前記複数の出力制御部のうちのいずれかの出力制御部で再生出力するための再生指示を受け付ける指示受付部と、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断部と、
前記再生可否判断部の判断結果に基づいて、前記再生指示されたコンテンツの再生に用いるデコード処理部および出力制御部を決定する再生経路決定部と、
前記再生経路決定部で決定されたデコード処理部および出力制御部を用いて前記再生指示されたコンテンツの再生を行う再生制御部と
を備え、
前記再生可否判断部は、既に前記複数のデコード処理部のうちの一つで第１のコンテンツが再生されているときに、前記指示受付部で新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、この判断結果を前記再生経路決定部に伝達し、
前記再生可否判断部により前記他のデコード処理部での前記第２のコンテンツの再生が可能であると判断された場合、
前記再生経路決定部は、前記他のデコード処理部を、前記第２のコンテンツの再生に用いるデコード処理部として決定し、
前記再生制御部は、前記決定されたデコード処理部を用いて前記第２のコンテンツの再生を行う
ことを特徴とする再生装置。
【請求項２】
１以上の入力ソースから供給される複数のコンテンツを再生する再生装置であって、
前記複数のコンテンツから再生を行うコンテンツを選択する１以上の入力ソース選択部と、
前記コンテンツのデコード処理を行う複数のデコード処理部と、
前記デコード処理後のコンテンツを再生出力する複数の出力制御部と、
前記複数のコンテンツのうちのいずれかのコンテンツを前記複数の出力制御部のうちのいずれかの出力制御部で再生出力するための再生指示を受け付ける指示受付部と、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断部と、
前記再生可否判断部の判断結果に基づいて、前記再生指示されたコンテンツの再生に用いるデコード処理部および出力制御部を決定する再生経路決定部と、
前記再生経路決定部で決定されたデコード処理部および出力制御部を用いて前記再生指示されたコンテンツの再生を行う再生制御部と
を備え、
前記再生可否判断部は、既に前記複数のデコード処理部のうちの一つで第１のコンテンツが再生されているときに、前記指示受付部で新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、この判断結果を前記再生経路決定部に伝達し、
前記再生可否判断部は、前記他のデコード処理部での前記第２のコンテンツの再生が可能でないと判断した場合、前記第２のコンテンツが前記第１のコンテンツと同一か否かを判断し、この判断結果を前記再生経路決定部に伝達する
ことを特徴とする再生装置。
【請求項３】
前記再生可否判断部により前記第２のコンテンツが前記第１のコンテンツと同一であると判断された場合、
前記再生経路決定部は、前記第１のコンテンツの再生に用いられているデコード処理部を、前記第２のコンテンツの再生に用いるデコード処理部として決定し、
前記再生制御部は、前記第１のコンテンツの再生に用いられているデコード処理部を用いた前記第２のコンテンツの再生を行う
ことを特徴とする請求項２に記載の再生装置。
【請求項４】
前記再生可否判断部は、前記他のデコード処理部での前記第２のコンテンツの再生が可能か否かを判断する際、前記１以上の入力ソース選択部の中に、再生に利用中でなく、かつ前記第２のコンテンツをデマルチプレクス可能な入力ソース選択部が存在するか否かを判断し、存在しないと判断された場合には、前記他のデコード処理部での前記第２のコンテンツの再生は可能でないと判断する
ことを特徴とする請求項１から３のいずれか１項に記載の再生装置。
【請求項５】
前記再生可否判断部は、前記他のデコード処理部での前記第２のコンテンツの再生が可能か否かを判断する際、前記複数のデコード処理部の中に、再生に利用中でなく、かつ前記第２のコンテンツをデコード可能なデコード処理部が存在するか否かを判断し、存在しないと判断された場合には、前記他のデコード処理部での前記第２のコンテンツの再生は可能でないと判断する
ことを特徴とする請求項１から４のいずれか１項に記載の再生装置。
【請求項６】
前記再生可否判断部は、前記他のデコード処理部での前記第２のコンテンツの再生が可能か否かを判断する際、前記１以上の入力ソースのうち前記第２のコンテンツに対応する入力ソースが、再生に利用中であり、かつ同時に２以上の供給先にコンテンツを供給することができないものである場合には、前記他のデコード処理部での前記第２のコンテンツの再生は可能でないと判断する
ことを特徴とする請求項１から５のいずれか１項に記載の再生装置。
【請求項７】
前記再生可否判断部は、前記他のデコード処理部での前記第２のコンテンツの再生が可能か否かを判断する際、前記１以上の入力ソースのうち前記第２のコンテンツに対応する入力ソースのアクセス帯域幅が、前記他のデコード処理部での前記第２のコンテンツの再生が実行された場合に前記アクセス帯域幅の限界を超えるか否かを判断し、超えると判断された場合には、前記他のデコード処理部での前記第２のコンテンツの再生は可能でないと判断する
ことを特徴とする請求項１から６のいずれか１項に記載の再生装置。
【請求項８】
前記再生可否判断部は、前記他のデコード処理部での前記第２のコンテンツの再生が可能か否かを判断する際、前記第２のコンテンツがネットワーク上のコンテンツである場合、前記第２のコンテンツが必要とするネットワークの帯域幅を確保できるか否かを判断し、確保できないと判断された場合には、前記他のデコード処理部での前記第２のコンテンツの再生は可能でないと判断する
ことを特徴とする請求項１から７のいずれか１項に記載の再生装置。
【請求項９】
前記複数の出力制御部のいずれかの出力制御部にコンテンツのリストを出力させる際、当該リストに含まれるコンテンツについて、既に再生に用いられているデコード処理部とは異なるデコード処理部で当該コンテンツの再生が可能か否か、および、当該コンテンツが既に再生されているコンテンツと同一であるか否かのうち少なくとも１つを判断し、判断結果を示す情報を前記出力制御部に出力させる
ことを特徴とする請求項１から８のいずれか１項に記載の再生装置。
【請求項１０】
前記再生経路決定部により、前記複数の出力制御部のうちの少なくとも２つの出力制御部が、前記複数のデコード処理部のうちの１つによりデコード処理されたコンテンツを再生出力するように決定された場合、前記再生制御部は、前記少なくとも２つの出力制御部に、複数の出力制御部で同一のコンテンツが再生されていることを示す情報を出力させる
ことを特徴とする請求項１から９のいずれか１項に記載の再生装置。
【請求項１１】
前記再生経路決定部により、前記複数の出力制御部のうちの第１の出力制御部および第２の出力制御部が、前記複数のデコード処理部のうちの１つのデコード処理部によりデコード処理されたコンテンツを再生出力するように決定され、前記指示受付部により、前記第２の出力制御部に対する特殊再生指示が受け付けられた場合、
前記再生可否判断部は、前記複数のデコード処理部のうち前記コンテンツの再生に既に使用されているデコード処理部とは異なる他のデコード処理部と前記第２の出力制御部とを用いた前記コンテンツの再生が可能か否かを判断し、
前記他のデコード処理部での前記コンテンツの再生が可能であると判断された場合、前記再生制御部は、前記再生における前記コンテンツの再生位置を示す情報を保存し、当該情報に基づき、前記他のデコード処理部および前記第２の出力制御部に、前記コンテンツの特殊再生を前記再生位置から開始させる
ことを特徴とする請求項１から１０のいずれか１項に記載の再生装置。
【請求項１２】
１以上の入力ソースから供給される複数のコンテンツを再生する再生装置であって、前記複数のコンテンツから再生を行うコンテンツを選択する１以上の入力ソース選択部と、前記コンテンツのデコード処理を行う複数のデコード処理部と、前記デコード処理後のコンテンツを再生出力する複数の出力制御部とを有する再生装置の制御方法であって、
前記複数のコンテンツのうちのいずれかのコンテンツを前記複数の出力制御部のうちのいずれかの出力制御部で再生出力するための再生指示を受け付ける指示受付ステップと、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断ステップと、
前記再生可否判断ステップの判断結果に基づいて、前記再生指示されたコンテンツの再生に用いるデコード処理部および出力制御部を決定する再生経路決定ステップと、
前記再生経路決定ステップで決定されたデコード処理部および出力制御部を用いて前記再生指示されたコンテンツの再生を行う再生制御ステップと
を含み、
前記再生可否判断ステップは、既に前記複数のデコード処理部のうちの一つで第１のコンテンツが再生されているときに、前記指示受付ステップで新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、
前記再生可否判断ステップにより前記他のデコード処理部での前記第２のコンテンツの再生が可能であると判断された場合、
前記再生経路決定ステップは、前記他のデコード処理部を、前記第２のコンテンツの再生に用いるデコード処理部として決定する
ことを特徴とする再生装置の制御方法。
【請求項１３】
１以上の入力ソースから供給される複数のコンテンツを再生する再生装置であって、前記複数のコンテンツから再生を行うコンテンツを選択する１以上の入力ソース選択部と、前記コンテンツのデコード処理を行う複数のデコード処理部と、前記デコード処理後のコンテンツを再生出力する複数の出力制御部とを有する再生装置の制御方法であって、
前記複数のコンテンツのうちのいずれかのコンテンツを前記複数の出力制御部のうちのいずれかの出力制御部で再生出力するための再生指示を受け付ける指示受付ステップと、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断ステップと、
前記再生可否判断ステップの判断結果に基づいて、前記再生指示されたコンテンツの再生に用いるデコード処理部および出力制御部を決定する再生経路決定ステップと、
前記再生経路決定ステップで決定されたデコード処理部および出力制御部を用いて前記再生指示されたコンテンツの再生を行う再生制御ステップと
を含み、
前記再生可否判断ステップは、既に前記複数のデコード処理部のうちの一つで第１のコンテンツが再生されているときに、前記指示受付ステップで新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、
前記再生可否判断ステップは、前記他のデコード処理部での前記第２のコンテンツの再生が可能でないと判断した場合、前記第２のコンテンツが前記第１のコンテンツと同一か否かを判断する
ことを特徴とする再生装置の制御方法。
【請求項１４】
１以上の入力ソースから供給される複数のコンテンツを再生する再生装置であって、前記複数のコンテンツから再生を行うコンテンツを選択する１以上の入力ソース選択部と、前記コンテンツのデコード処理を行う複数のデコード処理部と、前記デコード処理後のコンテンツを再生出力する複数の出力制御部とを有する再生装置の制御プログラムであって、
前記複数のコンテンツのうちのいずれかのコンテンツを前記複数の出力制御部のうちのいずれかの出力制御部で再生出力するための再生指示を受け付ける指示受付ステップと、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断ステップと、
前記再生可否判断ステップの判断結果に基づいて、前記再生指示されたコンテンツの再生に用いるデコード処理部および出力制御部を決定する再生経路決定ステップと、
前記再生経路決定ステップで決定されたデコード処理部および出力制御部を用いて前記再生指示されたコンテンツの再生を行う再生制御ステップと
をコンピュータに実行させ、
前記再生可否判断ステップは、既に前記複数のデコード処理部のうちの一つで第１のコンテンツが再生されているときに、前記指示受付ステップで新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、
前記再生可否判断ステップにより前記他のデコード処理部での前記第２のコンテンツの再生が可能であると判断された場合、
前記再生経路決定ステップは、前記他のデコード処理部を、前記第２のコンテンツの再生に用いるデコード処理部として決定する
ことを特徴とする再生装置の制御プログラム。
【請求項１５】
１以上の入力ソースから供給される複数のコンテンツを再生する再生装置であって、前記複数のコンテンツから再生を行うコンテンツを選択する１以上の入力ソース選択部と、前記コンテンツのデコード処理を行う複数のデコード処理部と、前記デコード処理後のコンテンツを再生出力する複数の出力制御部とを有する再生装置の制御プログラムであって、
前記複数のコンテンツのうちのいずれかのコンテンツを前記複数の出力制御部のうちのいずれかの出力制御部で再生出力するための再生指示を受け付ける指示受付ステップと、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断ステップと、
前記再生可否判断ステップの判断結果に基づいて、前記再生指示されたコンテンツの再生に用いるデコード処理部および出力制御部を決定する再生経路決定ステップと、
前記再生経路決定ステップで決定されたデコード処理部および出力制御部を用いて前記再生指示されたコンテンツの再生を行う再生制御ステップと
をコンピュータに実行させ、
前記再生可否判断ステップは、既に前記複数のデコード処理部のうちの一つで第１のコンテンツが再生されているときに、前記指示受付ステップで新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、
前記再生可否判断ステップは、前記他のデコード処理部での前記第２のコンテンツの再生が可能でないと判断した場合、前記第２のコンテンツが前記第１のコンテンツと同一か否かを判断する
ことを特徴とする再生装置の制御プログラム。
【手続補正２】
【補正対象書類名】明細書
【補正対象項目名】発明の名称
【補正方法】変更
【補正の内容】
【発明の名称】再生装置並びに再生装置の制御方法及び制御プログラム
【手続補正３】
【補正対象書類名】明細書
【補正対象項目名】０００７
【補正方法】変更
【補正の内容】
【０００７】
本発明に係る再生装置は、
１以上の入力ソースから供給される複数のコンテンツを再生する再生装置であって、
前記複数のコンテンツから再生を行うコンテンツを選択する１以上の入力ソース選択部と、
前記コンテンツのデコード処理を行う複数のデコード処理部と、
前記デコード処理後のコンテンツを再生出力する複数の出力制御部と、
前記複数のコンテンツのうちのいずれかのコンテンツを前記複数の出力制御部のうちのいずれかの出力制御部で再生出力するための再生指示を受け付ける指示受付部と、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断部と、
前記再生可否判断部の判断結果に基づいて、前記再生指示されたコンテンツの再生に用いるデコード処理部および出力制御部を決定する再生経路決定部と、
前記再生経路決定部で決定されたデコード処理部および出力制御部を用いて前記再生指示されたコンテンツの再生を行う再生制御部と
を備え、
前記再生可否判断部は、既に前記複数のデコード処理部のうちの一つで第１のコンテンツが再生されているときに、前記指示受付部で新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、この判断結果を前記再生経路決定部に伝達し、
前記再生可否判断部により前記他のデコード処理部での前記第２のコンテンツの再生が可能であると判断された場合、
前記再生経路決定部は、前記他のデコード処理部を、前記第２のコンテンツの再生に用いるデコード処理部として決定し、
前記再生制御部は、前記決定されたデコード処理部を用いて前記第２のコンテンツの再生を行うことを特徴とする。
また、本発明に係る再生装置は、
１以上の入力ソースから供給される複数のコンテンツを再生する再生装置であって、
前記複数のコンテンツから再生を行うコンテンツを選択する１以上の入力ソース選択部と、
前記コンテンツのデコード処理を行う複数のデコード処理部と、
前記デコード処理後のコンテンツを再生出力する複数の出力制御部と、
前記複数のコンテンツのうちのいずれかのコンテンツを前記複数の出力制御部のうちのいずれかの出力制御部で再生出力するための再生指示を受け付ける指示受付部と、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断部と、
前記再生可否判断部の判断結果に基づいて、前記再生指示されたコンテンツの再生に用いるデコード処理部および出力制御部を決定する再生経路決定部と、
前記再生経路決定部で決定されたデコード処理部および出力制御部を用いて前記再生指示されたコンテンツの再生を行う再生制御部と
を備え、
前記再生可否判断部は、既に前記複数のデコード処理部のうちの一つで第１のコンテンツが再生されているときに、前記指示受付部で新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、この判断結果を前記再生経路決定部に伝達し、
前記再生可否判断部は、前記他のデコード処理部での前記第２のコンテンツの再生が可能でないと判断した場合、前記第２のコンテンツが前記第１のコンテンツと同一か否かを判断し、この判断結果を前記再生経路決定部に伝達することを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明に係る再生装置の制御方法は、
１以上の入力ソースから供給される複数のコンテンツを再生する再生装置であって、前記複数のコンテンツから再生を行うコンテンツを選択する１以上の入力ソース選択部と、前記コンテンツのデコード処理を行う複数のデコード処理部と、前記デコード処理後のコンテンツを再生出力する複数の出力制御部とを有する再生装置の制御方法であって、
前記複数のコンテンツのうちのいずれかのコンテンツを前記複数の出力制御部のうちのいずれかの出力制御部で再生出力するための再生指示を受け付ける指示受付ステップと、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断ステップと、
前記再生可否判断ステップの判断結果に基づいて、前記再生指示されたコンテンツの再生に用いるデコード処理部および出力制御部を決定する再生経路決定ステップと、
前記再生経路決定ステップで決定されたデコード処理部および出力制御部を用いて前記再生指示されたコンテンツの再生を行う再生制御ステップと
を含み、
前記再生可否判断ステップは、既に前記複数のデコード処理部のうちの一つで第１のコンテンツが再生されているときに、前記指示受付ステップで新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、
前記再生可否判断ステップにより前記他のデコード処理部での前記第２のコンテンツの再生が可能であると判断された場合、
前記再生経路決定ステップは、前記他のデコード処理部を、前記第２のコンテンツの再生に用いるデコード処理部として決定することを特徴とする。
また、本発明に係る再生装置の制御方法は、
１以上の入力ソースから供給される複数のコンテンツを再生する再生装置であって、前記複数のコンテンツから再生を行うコンテンツを選択する１以上の入力ソース選択部と、前記コンテンツのデコード処理を行う複数のデコード処理部と、前記デコード処理後のコンテンツを再生出力する複数の出力制御部とを有する再生装置の制御方法であって、
前記複数のコンテンツのうちのいずれかのコンテンツを前記複数の出力制御部のうちのいずれかの出力制御部で再生出力するための再生指示を受け付ける指示受付ステップと、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断ステップと、
前記再生可否判断ステップの判断結果に基づいて、前記再生指示されたコンテンツの再生に用いるデコード処理部および出力制御部を決定する再生経路決定ステップと、
前記再生経路決定ステップで決定されたデコード処理部および出力制御部を用いて前記再生指示されたコンテンツの再生を行う再生制御ステップと
を含み、
前記再生可否判断ステップは、既に前記複数のデコード処理部のうちの一つで第１のコンテンツが再生されているときに、前記指示受付ステップで新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、
前記再生可否判断ステップは、前記他のデコード処理部での前記第２のコンテンツの再生が可能でないと判断した場合、前記第２のコンテンツが前記第１のコンテンツと同一か否かを判断することを特徴とする。
【手続補正６】
【補正対象書類名】明細書
【補正対象項目名】００１０
【補正方法】変更
【補正の内容】
【００１０】
本発明に係る再生装置の制御プログラムは、
１以上の入力ソースから供給される複数のコンテンツを再生する再生装置であって、前記複数のコンテンツから再生を行うコンテンツを選択する１以上の入力ソース選択部と、前記コンテンツのデコード処理を行う複数のデコード処理部と、前記デコード処理後のコンテンツを再生出力する複数の出力制御部とを有する再生装置の制御プログラムであって、
前記複数のコンテンツのうちのいずれかのコンテンツを前記複数の出力制御部のうちのいずれかの出力制御部で再生出力するための再生指示を受け付ける指示受付ステップと、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断ステップと、
前記再生可否判断ステップの判断結果に基づいて、前記再生指示されたコンテンツの再生に用いるデコード処理部および出力制御部を決定する再生経路決定ステップと、
前記再生経路決定ステップで決定されたデコード処理部および出力制御部を用いて前記再生指示されたコンテンツの再生を行う再生制御ステップと
をコンピュータに実行させ、
前記再生可否判断ステップは、既に前記複数のデコード処理部のうちの一つで第１のコンテンツが再生されているときに、前記指示受付ステップで新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、
前記再生可否判断ステップにより前記他のデコード処理部での前記第２のコンテンツの再生が可能であると判断された場合、
前記再生経路決定ステップは、前記他のデコード処理部を、前記第２のコンテンツの再生に用いるデコード処理部として決定することを特徴とする。
また、本発明に係る再生装置の制御プログラムは、
１以上の入力ソースから供給される複数のコンテンツを再生する再生装置であって、前記複数のコンテンツから再生を行うコンテンツを選択する１以上の入力ソース選択部と、前記コンテンツのデコード処理を行う複数のデコード処理部と、前記デコード処理後のコンテンツを再生出力する複数の出力制御部とを有する再生装置の制御プログラムであって、
前記複数のコンテンツのうちのいずれかのコンテンツを前記複数の出力制御部のうちのいずれかの出力制御部で再生出力するための再生指示を受け付ける指示受付ステップと、
前記再生指示が受け付けられた場合に、前記１以上の入力ソース選択部および複数のデコード処理部の利用状況に基づき、前記複数のデコード処理部のいずれかで前記再生指示されたコンテンツの再生が可能か否かを判断する再生可否判断ステップと、
前記再生可否判断ステップの判断結果に基づいて、前記再生指示されたコンテンツの再生に用いるデコード処理部および出力制御部を決定する再生経路決定ステップと、
前記再生経路決定ステップで決定されたデコード処理部および出力制御部を用いて前記再生指示されたコンテンツの再生を行う再生制御ステップと
をコンピュータに実行させ、
前記再生可否判断ステップは、既に前記複数のデコード処理部のうちの一つで第１のコンテンツが再生されているときに、前記指示受付ステップで新たに第２のコンテンツの再生指示が受け付けられた場合、前記複数のデコード処理部のうち前記第１のコンテンツの再生に用いられているデコード処理部とは異なる他のデコード処理部を用いた前記第２のコンテンツの再生が可能か否かを判断し、
前記再生可否判断ステップは、前記他のデコード処理部での前記第２のコンテンツの再生が可能でないと判断した場合、前記第２のコンテンツが前記第１のコンテンツと同一か否かを判断することを特徴とする。
【手続補正７】
【補正対象書類名】明細書
【補正対象項目名】０１４６
【補正方法】変更
【補正の内容】
【０１４６】
（ｉ）制御部１８０は、コンテンツの再生指示が受け付けられた場合に、個別再生が可能であっても、再生指示された出力部以外の他の出力部で当該コンテンツの再生が行われているときには、当該コンテンツの同期再生を行うことも可能である。例えば、制御部１８０は、指示受付部１７０によりコンテンツの同期再生指示が受け付けられた場合、他の出力部で当該コンテンツの再生が行われているか否かを判断し、行われていると判断されたときには、当該他の出力部との同期再生を行う。この構成では、ある再生系統のユーザは、他のユーザが他の再生系統で再生しているコンテンツと同じコンテンツを同期再生したい場合、当該コンテンツの同期再生を再生装置１００に指示し、当該コンテンツを同期再生モードで視聴することができる。例えば、図１０の再生リストでは、コンテンツＣ１１〜Ｃ１５が同期再生可能であり、これらのコンテンツＣ１１〜Ｃ１５についてユーザは意図的に同期再生を行うことができる。制御部１８０は、図１０のような再生リスト上でユーザからの同期再生指示を受け付けても良い。